(57)【要約】【課題】スライドショー表示制御の実行中において好適な楽曲情報を出力させる制御を実現する画像表示装置を提供する。【解決手段】スライドショー表示制御に係る画像情報それぞれに対応付けられた付属情報を抽出する付属情報抽出手段４４と、抽出された付属情報に基づいて画像情報それぞれに対応するイベント情報を決定する第１イベント情報決定手段４６と、楽曲情報に対応するイベント情報を決定する第２イベント情報決定手段４８と、画像情報に対応するイベント情報及び楽曲情報に対応するイベント情報に基づいて各スライドショーに対応する楽曲情報を決定する楽曲情報決定手段５２と、スライドショー表示制御の実行中にそのスライドショーに対応して楽曲情報決定手段５２により決定された楽曲情報を出力させる楽曲出力制御手段４２とを、含むものであることから、各スライドショー表示制御に際して対応する好適な楽曲情報を出力させることができる。【選択図】図７
2011075696.tif 000002
【特許請求の範囲】
【請求項１】
複数の画像情報を所定の時間間隔でディスプレイに断続的に切替表示させるスライドショー表示制御を実行するスライドショー表示制御手段を備えた画像表示装置であって、
前記画像情報には、それぞれ少なくとも１種類の付属情報が対応付けられて記憶されるものであり、
前記スライドショー表示制御手段による前記スライドショー表示制御の実行中に所定の楽曲情報を出力する楽曲出力制御手段と、
前記スライドショー表示制御手段による前記スライドショー表示制御に係る複数の画像情報それぞれに対応付けられた付属情報を抽出する付属情報抽出手段と、
該付属情報抽出手段により抽出された付属情報に基づいて、前記複数の画像情報それぞれに対応するイベント情報を決定する第１イベント情報決定手段と、
前記楽曲出力制御手段により出力し得る楽曲情報に基づいて、該楽曲情報に対応するイベント情報を決定する第２イベント情報決定手段と、
前記第１イベント情報決定手段により決定された前記画像情報に対応するイベント情報及び前記第２イベント情報決定手段により決定された前記楽曲情報に対応するイベント情報に基づいて選択される所定の楽曲情報を、前記付属情報抽出手段による抽出に係るスライドショー表示制御に対応する楽曲情報として決定する楽曲情報決定手段と
を、含み、
前記楽曲出力制御手段は、前記スライドショー表示制御手段による前記スライドショー表示制御の実行中に、該スライドショー表示制御に対応して前記楽曲情報決定手段により決定された楽曲情報を出力させるものである
ことを特徴とする画像表示装置。
【請求項２】
前記楽曲情報決定手段は、前記第１イベント情報決定手段により複数種類のイベント情報が決定された場合、それら複数種類のイベント情報に基づいて前記スライドショー表示制御に対応する複数の楽曲情報を決定するものであり、
前記スライドショー表示制御手段は、前記第１イベント情報決定手段により複数種類のイベント情報が決定された場合、各イベント情報毎に前記スライドショー表示制御に係る複数の画像情報の表示順を変更するものであり、
前記楽曲出力制御手段は、前記スライドショー表示制御手段による前記スライドショー表示制御に係る複数の画像情報にそれぞれ対応付けられた各楽曲情報の決定に係るイベント情報に対応する画像情報の数に応じて、該スライドショー表示制御に対応して前記楽曲情報決定手段により決定された複数の楽曲情報それぞれの出力を制御するものである
請求項１に記載の画像表示装置。
【請求項３】
前記楽曲情報決定手段は、前記第１イベント情報決定手段により複数種類のイベント情報が決定された場合、対象となるスライドショー表示制御に係る複数の画像情報それぞれに対応するイベント情報に基づいて、該スライドショー表示制御に対応する単数の楽曲情報を決定するものである請求項１に記載の画像表示装置。
【請求項４】
前記複数の画像情報それぞれの表示履歴を記憶する表示履歴データベースを備え、
前記楽曲情報決定手段は、前記第１イベント情報決定手段により複数種類のイベント情報が決定された場合、対象となるスライドショー表示制御に係る複数の画像情報それぞれの表示履歴を前記表示履歴データベースから読み出し、該表示履歴の数に応じて各画像情報に対応付けられたイベント情報に重み付けをして前記スライドショー表示制御に対応する単数乃至複数の楽曲情報を決定するものである請求項１に記載の画像表示装置。
【請求項５】
前記楽曲情報決定手段は、前記スライドショー表示制御に対応して複数の楽曲情報が決定された場合、対象となるスライドショー表示制御ではない他のスライドショー表示制御に対応付けられた楽曲情報とは異なる楽曲情報を、該対象となるスライドショー表示制御に対応する楽曲情報として決定するものである請求項１から４の何れか１項に記載の画像表示装置。
【請求項６】
前記付属情報は、対象となる画像情報に関連する単語情報、該画像情報の登録された日付情報、及び該画像情報に関連する場所情報のうち少なくとも１種類を含むものである請求項１から５の何れか１項に記載の画像表示装置。
【請求項７】
前記第２イベント情報決定手段は、対象となる楽曲情報の歌詞情報を解析し、該歌詞情報に含まれる名詞情報に基づいて該楽曲情報に対応するイベント情報を決定するものである請求項１から６の何れか１項に記載の画像表示装置。
【請求項８】
前記付属情報とイベント情報とを相互に対応付けて記憶する対応付データベースを備え、該対応付データベースの記憶内容が更新可能とされたものである請求項１から７の何れか１項に記載の画像表示装置。
【請求項９】
複数の画像情報を所定の時間間隔でディスプレイに断続的に切替表示させるスライドショー表示制御を実行するスライドショー表示制御手段を備えた画像表示装置における画像表示方法であって、
前記画像情報には、それぞれ少なくとも１種類の付属情報が対応付けられて記憶されるものであり、
前記スライドショー表示制御手段による前記スライドショー表示制御の実行中に所定の楽曲情報を出力する楽曲出力制御過程と、
前記スライドショー表示制御手段による前記スライドショー表示制御に係る複数の画像情報それぞれに対応付けられた付属情報を抽出する付属情報抽出過程と、
該付属情報抽出過程において抽出された付属情報に基づいて、前記複数の画像情報それぞれに対応するイベント情報を決定する第１イベント情報決定過程と、
前記楽曲出力制御過程において出力し得る楽曲情報に基づいて、該楽曲情報に対応するイベント情報を決定する第２イベント情報決定過程と、
前記第１イベント情報決定過程において決定された前記画像情報に対応するイベント情報及び前記第２イベント情報決定過程において決定された前記楽曲情報に対応するイベント情報に基づいて選択される所定の楽曲情報を、前記付属情報抽出過程における抽出に係るスライドショー表示制御に対応する楽曲情報として決定する楽曲情報決定過程と
を、含み、
前記楽曲出力制御過程は、前記スライドショー表示制御手段による前記スライドショー表示制御の実行中に、該スライドショー表示制御に対応して前記楽曲情報決定過程において決定された楽曲情報を出力させる
ことを特徴とする画像表示方法。
【請求項１０】
複数の画像情報を所定の時間間隔でディスプレイに断続的に切替表示させるスライドショー表示制御を実行するスライドショー表示制御手段を備え、前記画像情報には、それぞれ少なくとも１種類の付属情報が対応付けられて記憶される画像表示装置に備えられた制御装置を、
前記スライドショー表示制御手段による前記スライドショー表示制御の実行中に所定の楽曲情報を出力する楽曲出力制御手段、
前記スライドショー表示制御手段による前記スライドショー表示制御に係る複数の画像情報それぞれに対応付けられた付属情報を抽出する付属情報抽出手段、
該付属情報抽出手段により抽出された付属情報に基づいて、前記複数の画像情報それぞれに対応するイベント情報を決定する第１イベント情報決定手段、
前記楽曲出力制御手段により出力し得る楽曲情報に基づいて、該楽曲情報に対応するイベント情報を決定する第２イベント情報決定手段、
及び、前記第１イベント情報決定手段により決定された前記画像情報に対応するイベント情報及び前記第２イベント情報決定手段により決定された前記楽曲情報に対応するイベント情報に基づいて選択される所定の楽曲情報を、前記付属情報抽出手段による抽出に係るスライドショー表示制御に対応する楽曲情報として決定する楽曲情報決定手段
として機能させると共に、
前記楽曲出力制御手段は、前記スライドショー表示制御手段による前記スライドショー表示制御の実行中に、該スライドショー表示制御に対応して前記楽曲情報決定手段により決定された楽曲情報を出力させるものである
ことを特徴とする画像表示プログラム。
【発明の詳細な説明】
【技術分野】
【０００１】
本発明は、複数の画像情報を所定の時間間隔で断続的に切替表示させるスライドショー表示制御を実行し得る画像表示装置、画像表示方法、及び画像表示プログラムに関し、特に、そのスライドショー表示制御の実行中において好適な楽曲情報を出力させるための改良に関する。
【背景技術】
【０００２】
所定の記憶媒体に記憶された画像情報を読み出し、その画像情報をディスプレイに表示させる所謂デジタルフォトフレームが広く一般に用いられている。また、斯かるデジタルフォトフレームの一態様として、複数の画像情報を所定の時間間隔で断続的に切替表示させるスライドショー表示制御を実行し得るものが知られている。更に、斯かるスライドショー表示制御の実行中に所定の楽曲情報を出力する楽曲情報出力制御を行う画像表示装置が実用化されている。
【０００３】
ところで、上述のように音楽再生機能と画像表示機能を備えた画像表示装置において、所定の楽曲情報の出力を行う際に好適な画像情報を選択して表示させる技術が提案されている。例えば、特許文献１に記載された携帯情報端末がそれである。この技術によれば、再生中の楽曲から音声認識処理により歌詞を抽出する歌詞抽出部と、その抽出された歌詞から所定のルールに基づいてキーワードを抽出するキーワード抽出部と、その抽出されたキーワードに基づいて所定の画像を検索する画像検索部とを、備え、所定の楽曲情報の再生中にその画像検索部により検索された画像を表示させることで、楽曲再生と共に利用者にとって魅力的で且つ飽きのこない画像表示を実現できるとされている。
【先行技術文献】
【特許文献】
【０００４】
【特許文献１】特開２００８−８９５４号公報
【発明の概要】
【発明が解決しようとする課題】
【０００５】
しかし、前記従来の技術は、所定の楽曲情報の出力中にその楽曲情報に合った画像情報の表示を実現するものである一方、所定の画像情報の表示中にその画像情報に合った楽曲情報を選択して出力し得るものではなかった。更に、前記スライドショー表示制御の実行中において好適な楽曲情報を出力させる制御を実現するものではなかった。このため、スライドショー表示制御の実行中において好適な楽曲情報を出力させる制御を実現する技術の開発が求められていた。
【０００６】
本発明は、以上の事情を背景として為されたものであり、その目的とするところは、スライドショー表示制御の実行中において好適な楽曲情報を出力させる制御を実現する画像表示装置、画像表示方法、及び画像表示プログラムを提供することにある。
【課題を解決するための手段】
【０００７】
斯かる目的を達成するために、本第１発明の要旨とするところは、複数の画像情報を所定の時間間隔でディスプレイに断続的に切替表示させるスライドショー表示制御を実行するスライドショー表示制御手段を備えた画像表示装置であって、前記画像情報には、それぞれ少なくとも１種類の付属情報が対応付けられて記憶されるものであり、前記スライドショー表示制御手段による前記スライドショー表示制御の実行中に所定の楽曲情報を出力する楽曲出力制御手段と、前記スライドショー表示制御手段による前記スライドショー表示制御に係る複数の画像情報それぞれに対応付けられた付属情報を抽出する付属情報抽出手段と、その付属情報抽出手段により抽出された付属情報に基づいて、前記複数の画像情報それぞれに対応するイベント情報を決定する第１イベント情報決定手段と、前記楽曲出力制御手段により出力し得る楽曲情報に基づいて、その楽曲情報に対応するイベント情報を決定する第２イベント情報決定手段と、前記第１イベント情報決定手段により決定された前記画像情報に対応するイベント情報及び前記第２イベント情報決定手段により決定された前記楽曲情報に対応するイベント情報に基づいて選択される所定の楽曲情報を、前記付属情報抽出手段による抽出に係るスライドショー表示制御に対応する楽曲情報として決定する楽曲情報決定手段とを、含み、前記楽曲出力制御手段は、前記スライドショー表示制御手段による前記スライドショー表示制御の実行中に、そのスライドショー表示制御に対応して前記楽曲情報決定手段により決定された楽曲情報を出力させることを特徴とするものである。
【０００８】
また、前記目的を達成するために、本第２発明の要旨とするところは、複数の画像情報を所定の時間間隔でディスプレイに断続的に切替表示させるスライドショー表示制御を実行するスライドショー表示制御手段を備えた画像表示装置における画像表示方法であって、前記画像情報には、それぞれ少なくとも１種類の付属情報が対応付けられて記憶されるものであり、前記スライドショー表示制御手段による前記スライドショー表示制御の実行中に所定の楽曲情報を出力する楽曲出力制御過程と、前記スライドショー表示制御手段による前記スライドショー表示制御に係る複数の画像情報それぞれに対応付けられた付属情報を抽出する付属情報抽出過程と、その付属情報抽出過程において抽出された付属情報に基づいて、前記複数の画像情報それぞれに対応するイベント情報を決定する第１イベント情報決定過程と、前記楽曲出力制御過程において出力し得る楽曲情報に基づいて、その楽曲情報に対応するイベント情報を決定する第２イベント情報決定過程と、前記第１イベント情報決定過程において決定された前記画像情報に対応するイベント情報及び前記第２イベント情報決定過程において決定された前記楽曲情報に対応するイベント情報に基づいて選択される所定の楽曲情報を、前記付属情報抽出過程における抽出に係るスライドショー表示制御に対応する楽曲情報として決定する楽曲情報決定過程とを、含み、前記楽曲出力制御過程は、前記スライドショー表示制御手段による前記スライドショー表示制御の実行中に、そのスライドショー表示制御に対応して前記楽曲情報決定過程において決定された楽曲情報を出力させることを特徴とするものである。
【０００９】
また、前記目的を達成するために、本第３発明の要旨とするところは、複数の画像情報を所定の時間間隔でディスプレイに断続的に切替表示させるスライドショー表示制御を実行するスライドショー表示制御手段を備え、前記画像情報には、それぞれ少なくとも１種類の付属情報が対応付けられて記憶される画像表示装置に備えられた制御装置を、前記スライドショー表示制御手段による前記スライドショー表示制御の実行中に所定の楽曲情報を出力する楽曲出力制御手段、前記スライドショー表示制御手段による前記スライドショー表示制御に係る複数の画像情報それぞれに対応付けられた付属情報を抽出する付属情報抽出手段、その付属情報抽出手段により抽出された付属情報に基づいて、前記複数の画像情報それぞれに対応するイベント情報を決定する第１イベント情報決定手段、前記楽曲出力制御手段により出力し得る楽曲情報に基づいて、その楽曲情報に対応するイベント情報を決定する第２イベント情報決定手段、及び、前記第１イベント情報決定手段により決定された前記画像情報に対応するイベント情報及び前記第２イベント情報決定手段により決定された前記楽曲情報に対応するイベント情報に基づいて選択される所定の楽曲情報を、前記付属情報抽出手段による抽出に係るスライドショー表示制御に対応する楽曲情報として決定する楽曲情報決定手段として機能させると共に、前記楽曲出力制御手段は、前記スライドショー表示制御手段による前記スライドショー表示制御の実行中に、そのスライドショー表示制御に対応して前記楽曲情報決定手段により決定された楽曲情報を出力させるものであることを特徴とする画像表示プログラムである。
【発明の効果】
【００１０】
このように、前記第１発明によれば、前記画像情報には、それぞれ少なくとも１種類の付属情報が対応付けられて記憶されるものであり、前記スライドショー表示制御手段による前記スライドショー表示制御の実行中に所定の楽曲情報を出力する楽曲出力制御手段と、前記スライドショー表示制御手段による前記スライドショー表示制御に係る複数の画像情報それぞれに対応付けられた付属情報を抽出する付属情報抽出手段と、その付属情報抽出手段により抽出された付属情報に基づいて、前記複数の画像情報それぞれに対応するイベント情報を決定する第１イベント情報決定手段と、前記楽曲出力制御手段により出力し得る楽曲情報に基づいて、その楽曲情報に対応するイベント情報を決定する第２イベント情報決定手段と、前記第１イベント情報決定手段により決定された前記画像情報に対応するイベント情報及び前記第２イベント情報決定手段により決定された前記楽曲情報に対応するイベント情報に基づいて選択される所定の楽曲情報を、前記付属情報抽出手段による抽出に係るスライドショー表示制御に対応する楽曲情報として決定する楽曲情報決定手段とを、含み、前記楽曲出力制御手段は、前記スライドショー表示制御手段による前記スライドショー表示制御の実行中に、そのスライドショー表示制御に対応して前記楽曲情報決定手段により決定された楽曲情報を出力させるものであることから、各スライドショー表示制御に対応してそのスライドショー表示制御に合った楽曲情報を決定し、そのスライドショー表示制御に際して対応する楽曲情報を出力させることができる。すなわち、スライドショー表示制御の実行中において好適な楽曲情報を出力させる制御を実現する画像表示装置を提供することができる。
【００１１】
ここで、前記第１発明において、好適には、前記楽曲情報決定手段は、前記第１イベント情報決定手段により複数種類のイベント情報が決定された場合、それら複数種類のイベント情報に基づいて前記スライドショー表示制御に対応する複数の楽曲情報を決定するものであり、前記スライドショー表示制御手段は、前記第１イベント情報決定手段により複数種類のイベント情報が決定された場合、各イベント情報毎に前記スライドショー表示制御に係る複数の画像情報の表示順を変更するものであり、前記楽曲出力制御手段は、前記スライドショー表示制御手段による前記スライドショー表示制御に係る複数の画像情報にそれぞれ対応付けられた各楽曲情報の決定に係るイベント情報に対応する画像情報の数に応じて、そのスライドショー表示制御に対応して前記楽曲情報決定手段により決定された複数の楽曲情報それぞれの出力を制御するものである。このようにすれば、所定のスライドショー表示制御に対応して決定された複数の楽曲情報に応じてそのスライドショー表示制御に係る複数の画像情報の表示順を好適に並べ替えることができると共に、その表示順に応じて前記複数の楽曲情報それぞれの出力を制御することができる。
【００１２】
また、好適には、前記楽曲情報決定手段は、前記第１イベント情報決定手段により複数種類のイベント情報が決定された場合、対象となるスライドショー表示制御に係る複数の画像情報それぞれに対応するイベント情報に基づいて、そのスライドショー表示制御に対応する単数の楽曲情報を決定するものである。このようにすれば、所定のスライドショー表示制御に対応する単数の楽曲情報を実用的な態様で決定することができる。
【００１３】
また、好適には、前記複数の画像情報それぞれの表示履歴を記憶する表示履歴データベースを備え、前記楽曲情報決定手段は、前記第１イベント情報決定手段により複数種類のイベント情報が決定された場合、対象となるスライドショー表示制御に係る複数の画像情報それぞれの表示履歴を前記表示履歴データベースから読み出し、その表示履歴の数に応じて各画像情報に対応付けられたイベント情報に重み付けをして前記スライドショー表示制御に対応する単数乃至複数の楽曲情報を決定するものである。このようにすれば、所定のスライドショー表示制御に対応する単数乃至複数の楽曲情報を実用的な態様で決定することができる。
【００１４】
また、好適には、前記楽曲情報決定手段は、前記スライドショー表示制御に対応して複数の楽曲情報が決定された場合、対象となるスライドショー表示制御ではない他のスライドショー表示制御に対応付けられた楽曲情報とは異なる楽曲情報を、その対象となるスライドショー表示制御に対応する楽曲情報として決定するものである。このようにすれば、所定のスライドショー表示制御に対応して、他のスライドショー表示制御とは対応付けられていない新規な楽曲情報を決定することができる。
【００１５】
また、好適には、前記付属情報は、対象となる画像情報に関連する単語情報、その画像情報の登録された日付情報、及びその画像情報に関連する場所情報のうち少なくとも１種類を含むものである。このようにすれば、実用的な付属情報に基づいて前記イベント情報乃至楽曲情報を決定することができる。
【００１６】
また、好適には、前記第２イベント情報決定手段は、対象となる楽曲情報の歌詞情報を解析し、その歌詞情報に含まれる名詞情報に基づいてその楽曲情報に対応するイベント情報を決定するものである。このようにすれば、所定の楽曲情報に対応するイベント情報を実用的な態様で決定することができる。
【００１７】
また、好適には、前記付属情報とイベント情報とを相互に対応付けて記憶する対応付データベースを備え、その対応付データベースの記憶内容が更新可能とされたものである。このようにすれば、実用的な関係から前記付属情報抽出手段により抽出された付属情報に基づいて、その付属情報に対応するイベント情報を決定することができる。
【００１８】
また、前記第２発明によれば、前記画像情報には、それぞれ少なくとも１種類の付属情報が対応付けられて記憶されるものであり、前記スライドショー表示制御手段による前記スライドショー表示制御の実行中に所定の楽曲情報を出力する楽曲出力制御過程と、前記スライドショー表示制御手段による前記スライドショー表示制御に係る複数の画像情報それぞれに対応付けられた付属情報を抽出する付属情報抽出過程と、その付属情報抽出過程において抽出された付属情報に基づいて、前記複数の画像情報それぞれに対応するイベント情報を決定する第１イベント情報決定過程と、前記楽曲出力制御過程において出力し得る楽曲情報に基づいて、その楽曲情報に対応するイベント情報を決定する第２イベント情報決定過程と、前記第１イベント情報決定過程において決定された前記画像情報に対応するイベント情報及び前記第２イベント情報決定過程において決定された前記楽曲情報に対応するイベント情報に基づいて選択される所定の楽曲情報を、前記付属情報抽出過程における抽出に係るスライドショー表示制御に対応する楽曲情報として決定する楽曲情報決定過程とを、含み、前記楽曲出力制御過程は、前記スライドショー表示制御手段による前記スライドショー表示制御の実行中に、そのスライドショー表示制御に対応して前記楽曲情報決定過程において決定された楽曲情報を出力させるものであることから、各スライドショー表示制御に対応してそのスライドショー表示制御に合った楽曲情報を決定し、そのスライドショー表示制御に際して対応する楽曲情報を出力させることができる。すなわち、スライドショー表示制御の実行中において好適な楽曲情報を出力させる制御を実現する画像表示方法を提供することができる。
【００１９】
また、前記第３発明によれば、前記画像表示装置に備えられた制御装置を、前記スライドショー表示制御手段による前記スライドショー表示制御の実行中に所定の楽曲情報を出力する楽曲出力制御手段、前記スライドショー表示制御手段による前記スライドショー表示制御に係る複数の画像情報それぞれに対応付けられた付属情報を抽出する付属情報抽出手段、その付属情報抽出手段により抽出された付属情報に基づいて、前記複数の画像情報それぞれに対応するイベント情報を決定する第１イベント情報決定手段、前記楽曲出力制御手段により出力し得る楽曲情報に基づいて、その楽曲情報に対応するイベント情報を決定する第２イベント情報決定手段、及び、前記第１イベント情報決定手段により決定された前記画像情報に対応するイベント情報及び前記第２イベント情報決定手段により決定された前記楽曲情報に対応するイベント情報に基づいて選択される所定の楽曲情報を、前記付属情報抽出手段による抽出に係るスライドショー表示制御に対応する楽曲情報として決定する楽曲情報決定手段として機能させると共に、前記楽曲出力制御手段は、前記スライドショー表示制御手段による前記スライドショー表示制御の実行中に、そのスライドショー表示制御に対応して前記楽曲情報決定手段により決定された楽曲情報を出力させるものであることを特徴とする画像表示プログラムであることから、各スライドショー表示制御に対応してそのスライドショー表示制御に合った楽曲情報を決定し、そのスライドショー表示制御に際して対応する楽曲情報を出力させることができる。すなわち、スライドショー表示制御の実行中において好適な楽曲情報を出力させる制御を実現する画像表示プログラムを提供することができる。
【図面の簡単な説明】
【００２０】
【図１】本発明の好適な実施例である画像表示装置の構成の一例を説明するブロック線図である。
【図２】図１の画像表示装置に備えられた画像データベースの内容の一例を説明する図である。
【図３】図１の画像表示装置に備えられた楽曲データベースの内容の一例を説明する図である。
【図４】図１の画像表示装置に備えられたイベントデータベースに記憶される所定のイベント情報「クリスマス」の関連情報の一例を説明する図である。
【図５】図１の画像表示装置に備えられたイベントデータベースに記憶される所定のイベント情報「夏休み」の関連情報の一例を説明する図である。
【図６】図１の画像表示装置に備えられたイベントデータベースに記憶される所定のイベント情報「運動会」の関連情報の一例を説明する図である。
【図７】図１の画像表示装置の制御部に備えられた制御機能の要部を説明する機能ブロック線図である。
【図８】図１の画像表示装置の制御部による所定のスライドショーに係る複数の画像情報に対応するイベント情報の決定について説明する図である。
【図９】図１の画像表示装置の制御部による名詞情報の抽出乃至イベント情報の決定について説明する図であり、クリスマスに関する所定の楽曲における歌詞の一例を示している。
【図１０】図９に示す歌詞情報に対応して図１の画像表示装置の制御部により抽出される名詞情報及びその名詞情報に基づくイベント情報の決定について説明する図である。
【図１１】図１の画像表示装置の制御部による名詞情報の抽出乃至イベント情報の決定について説明する図であり、夏休みに関する所定の楽曲における歌詞の一例を示している。
【図１２】図１１に示す歌詞情報に対応して図１の画像表示装置の制御部により抽出される名詞情報及びその名詞情報に基づくイベント情報の決定について説明する図である。
【図１３】図１の画像表示装置の制御部による表示順の変更制御の一例として、図８に示すスライドショーを各画像情報について決定されたイベント情報に基づいて並べ替える例を説明する図である。
【図１４】図１３に示すように並べ替えられたスライドショーに対応して複数の楽曲を対応する画像群毎に再生する制御の一例を示す図である。
【図１５】図１の画像表示装置の制御部により実行されるメイン制御の一例の要部を説明するフローチャートである。
【図１６】図１５に示す制御におけるスライドショーに最適な楽曲の特定処理の一例の要部を説明するフローチャートである。
【図１７】図１６に示す制御におけるスライドショーに含まれる画像のイベント情報特定処理の一例の要部を説明するフローチャートである。
【図１８】図１６に示す制御における画像のイベント情報に対応する楽曲を楽曲ＤＢから抽出する処理の一例の要部を説明するフローチャートである。
【図１９】図１６に示す制御における画像のイベント情報に対応する楽曲を楽曲ＤＢから抽出する処理の他の一例の要部を説明するフローチャートである。
【図２０】図１６に示す制御における画像のイベント情報に対応する楽曲を楽曲ＤＢから抽出する処理の更に別の一例の要部を説明するフローチャートである。
【図２１】図１５に示す制御におけるスライドショー再生処理の一例の要部を説明するフローチャートである。
【図２２】図１５に示す制御における楽曲のイベント情報取得処理の一例の要部を説明するフローチャートである。
【発明を実施するための形態】
【００２１】
以下、本発明の好適な実施例を図面に基づいて詳細に説明する。
【実施例】
【００２２】
図１は、本発明の好適な実施例である画像表示装置１０の構成の一例を説明するブロック線図である。この図１に示すように、本実施例の画像表示装置１０は、所定の画像（映像）を表示させると共に、利用者の接触操作に応じて入力を行うためのタッチパネルディスプレイ１２と、前記画像表示装置１０による画像表示制御をはじめとする各種制御を実行する制御部１４と、読出専用メモリであるＲＯＭ１６と、随時書込読出メモリであるＲＡＭ１８と、図示しない所定の通信回線を介して他の機器との間で情報の通信を行うための通信インターフェイス２０と、音声出力装置であるスピーカ２２と、画像データベース（表示履歴データベース）２４と、楽曲データベース２６と、イベントデータベース（対応付データベース）２８と、スライドショーデータベース３０とを、備えて構成されている。
【００２３】
図１に示すように、上記タッチパネルディスプレイ１２は、そのタッチパネルディスプレイ１２に所定の映像を表示させる表示部（ディスプレイ）としての表示装置３２と、利用者の指や図示しない備え付けのペン等による上記タッチパネルディスプレイ１２への接触により入力を行うタッチパネル３４とを、備えて構成されている。また、上記表示装置３２による画像（映像）の表示制御を行う表示制御部３６と、上記タッチパネル３４により入力される入力情報を処理する入力制御部３８とが備えられており、それら表示制御部３６及び入力制御部３８により上記表示装置３２及びタッチパネル３４を介して上記タッチパネルディスプレイ１２による画像表示制御乃至情報入力制御が実行される。
【００２４】
前記制御部１４は、前記ＲＡＭ１８の一時記憶機能を利用しつつ前記ＲＯＭ１６に記憶された情報に基づいて中央演算処理装置であるＣＰＵにより種々の情報処理を実行する所謂マイクロコンピュータであり、上記表示制御部３６を介して前記タッチパネルディスプレイ１２（表示装置３２）に所定の画像を表示させる画像表示制御、そのタッチパネルディスプレイ１２（タッチパネル３４）への接触操作に応じて上記入力制御部３８を介して入力される入力信号を処理する入力処理制御、前記通信インターフェイス２０を介しての他の機器との間の通信制御、及び後述するスライドショー再生制御等、本実施例の画像表示装置１０に関する各種制御を実行する。
【００２５】
前記スピーカ２２は、所定の音声情報（電気信号）に対応する音声を機械的な振動として出力させる音声出力装置（電気系から音響系へ変換する電気音響変換器）である。本実施例の画像表示装置１０は、前記タッチパネルディスプレイ１２に画像を表示させるのみならず、所定の楽曲情報に基づいて楽曲（演奏に相当する音声）を出力させる楽曲再生装置としての機能も有するものであり、後述する楽曲出力制御手段４２により再生された楽曲に相当する音声は、このスピーカ２２を介して出力される。
【００２６】
図２は、前記画像データベース２４の内容の一例を説明する図である。前記画像データベース２４には、前記表示制御部３６を介して前記タッチパネルディスプレイ１２（表示装置３２）に所定の画像を表示させるための画像情報として、例えばＪＰＥＧ（Joint Photographic Experts Group）、ＰＮＧ（Portable network graphics）、ＧＩＦ（Graphics interchange format）等のファイル形式の画像データ（画像ファイル）が、それぞれの識別情報（画像名）をインデックスとして記憶されている。また、図２に示すように、各画像情報に対応する付属情報（タグ情報）として、その画像情報の特徴（内容）を示す名詞情報、その画像情報が作成された日付を示す日付情報、その画像情報の作成された場所の情報（画像に対応する座標）を示す場所情報、その画像情報の表示履歴としての表示回数、及びその画像情報と関連付けられたイベント情報等が付随的に記憶されている。このイベント情報とは、クリスマスや七五三等の一般的な行事や、夏休みやゴールデンウィーク等の特定の期間の名称であり、好適には、各画像の付属情報から決定された項目である。なお、前記画像データベース２４には、利用者による直接入力又は後述する第１イベント情報決定手段４６の何れかにより、各画像に対応するイベント情報が登録される。すなわち、前記画像データベース２４は、前記画像表示装置１０において表示された複数の画像情報それぞれの表示履歴を記憶する表示履歴データベースにも対応する。なお、前記表示装置３２は、静止画像のみならず動画を表示させるものであってもよく、前記画像データベース２４に記憶される画像情報は、静止画に対応するものであると動画に対応するものであるとを問わない。
【００２７】
前記画像データベース２４に記憶される画像情報における付属情報としての名詞情報は、例えば、その画像情報に対応する画像が図示しないデジタルカメラ等の撮像装置により撮影された際に入力された簡単なメモ（テキスト情報）であり、前記画像情報のヘッダ情報等として登録されたものである。また、上記日付情報は、例えば、対象となる画像情報が図示しないデジタルカメラ等の撮像装置により撮影された日付（日時）であり、同じく前記画像情報のヘッダ情報等として登録されたものである。また、前記イベント情報は、対象となる画像情報が前記画像データベース２４に記憶された後に利用者によって登録されたイベント情報であり、好適には、前記イベントデータベース２８に記憶された複数のイベント情報のうち何れかが選択されて登録されたものである。また、前記場所情報は、例えば、対象となる画像情報が図示しないデジタルカメラ等の撮像装置により撮影された場所であり、同じく前記画像情報のヘッダ情報等として登録されたものである。
【００２８】
図３は、前記楽曲データベース２６の内容の一例を説明する図である。前記楽曲データベース２６には、前記スピーカ２２から所定の楽曲の演奏を出力させるための演奏情報及び歌詞情報から成る楽曲情報（歌詞情報は必ずしも含まなくともよい）が、それぞれの識別情報（楽曲名）をインデックスとして記憶されている。この演奏情報は、後述する楽曲出力制御手段４２により対応する楽曲の演奏音を出力させるための情報であり、例えば、ＭＩＤＩ音源により所定の楽器の演奏音を出力させるＭＩＤＩ（Musical Instrument Digital Interface）データや、所定の形式で圧縮された音声情報であるＭＰ３（MPEG audio layer 3）、ＡＡＣ（advanced audio coding）、ＷＡＶ等の音声ファイルである。また、上記歌詞情報は、対象となる楽曲の歌詞に相当するテキスト情報である。また、図３に示すように、各楽曲情報に対応する情報として、その楽曲情報と関連付けられたイベント情報、及び後述するスライドショーデータベース３０においてその楽曲情報が関連付けられているスライドショーの個数等が付随的に記憶されている。このイベント情報は、上記画像データベース２４に記憶された画像情報に係るものと同様に、対象となる楽曲情報が前記楽曲データベース２６に記憶された後に利用者によって登録されたイベント情報、或いは後述する第２イベント情報決定手段４８により決定されたイベント情報であり、好適には、前記イベントデータベース２８に記憶された複数のイベント情報のうち何れかが選択されて登録されたものである。
【００２９】
図４乃至図６は、前記イベントデータベース２８の内容の一例を説明する図である。前記イベントデータベース２８には、前記画像情報の付属情報として登録され得る複数のイベント情報が記憶されている。また、図４乃至図６に示すように、各イベント情報毎にそのイベント情報に関連する単数乃至複数のキーワード、そのイベント情報に関連する日付、及びそのイベント情報に関連する場所等の情報が付随的に記憶されている。例えば、図４は、イベント情報「クリスマス」に関連して記憶された対応付情報２８ａを示すものであり、そのイベント情報「クリスマス」に関連して、「サイレントナイト」、「サンタ」、「トナカイ」、「プレゼント」、「雪」、「ツリー」、及び「ケーキ」等のキーワード（テキスト情報）が対応付けられて記憶されている。また、斯かるイベント情報「クリスマス」に関連して、「１２月２４日」及び「１２月２５日」の日付が対応付けられて記憶されている。また、図５は、イベント情報「夏休み」に関連して記憶された対応付情報２８ｂを示すものであり、そのイベント情報「夏休み」に関連して、「宿題」、「花火」、「セミ」、「祭り」、及び「海」等のキーワード（テキスト情報）が対応付けられて記憶されている。また、斯かるイベント情報「夏休み」に関連して、「７月中旬〜８月３１日」の日付が対応付けられて記憶されている。また、図６は、イベント情報「運動会」に関連して記憶された対応付情報２８ｃを示すものであり、そのイベント情報「運動会」に関連して、「リレー」、「綱引き」、「玉入れ」、「かけっこ」、及び「お弁当」等のキーワード（テキスト情報）が対応付けられて記憶されている。また、斯かるイベント情報「運動会」に関連して、「１０月１０日」の日付が対応付けられて記憶されている。また、斯かるイベント情報「運動会」に関連して、「学校の場所」すなわち学校の位置情報が対応付けられて記憶されている。なお、このイベントデータベース２８は、前記通信インターフェイス２０を介して他の機器からダウンロードされた情報が新たに記憶されることや、前記タッチパネルディスプレイ１２（タッチパネル３４）による入力操作により新たに所定のイベント情報及びその関連情報が登録されること等により更新可能とされたものである。
【００３０】
前記スライドショーデータベース３０には、後述するスライドショー表示制御手段４０によるスライドショー再生制御を実行するための情報として、登録された各スライドショー毎に、そのスライドショーに係る画像表示切替情報、そのスライドショーの再生に際して出力されるべき単数乃至複数の楽曲情報の識別情報、及び各楽曲情報の出力タイミング等の関連情報が各スライドショーの識別情報をインデックスとして記憶されている。ここで、上記画像表示切替情報は、前記タッチパネルディスプレイ１２（表示装置３２）に複数の画像を断続的に切替表示させるための情報であり、対象となる複数の画像情報の識別情報及びそれら複数の画像情報の切替順（表示順）が定められている。なお、本実施例においては、上述のように前記スライドショーデータベース３０に記憶された画像表示切替情報及び関連付け情報（紐付け情報）に基づき、前記画像データベース２４に記憶された複数の画像情報及び前記楽曲データベース２６に記憶された楽曲情報を随時読み出して後述するスライドショー再生制御を実行する態様について説明するが、各スライドショーに係る複数の画像情報及び楽曲情報が前記スライドショーデータベース３０に一元的に記憶されたものであってもよい。
【００３１】
図７は、前記画像表示装置１０の制御部１４に備えられた制御機能の要部を説明する機能ブロック線図である。この図７に示すスライドショー表示制御手段４０は、前記画像データベース２４に記憶された複数の画像情報を所定の時間間隔で前記表示装置３２に断続的に切替表示させるスライドショー表示制御を実行する。すなわち、前述したスライドショーデータベース３０に記憶（登録）された各スライドショーに係る情報を読み出し、そのスライドショーに対応する画像表示切替情報において定められた複数の画像情報に対応する画像を、定められた表示順に所定の時間間隔で前記タッチパネルディスプレイ１２（表示装置３２）に順次切替表示させる。
【００３２】
楽曲出力制御手段４２は、前記楽曲データベース２６に記憶された楽曲情報に基づく演奏（音声）を前記スピーカ２２から出力させる。例えば、前記楽曲情報に含まれる演奏情報がＭＩＤＩデータである場合には、ＭＩＤＩ音源としてそのＭＩＤＩデータに定められた楽譜情報に従って対応する楽器の演奏音を出力させる。また、前記楽曲情報に含まれる演奏情報がＭＰ３データ等の音声圧縮ファイルである場合には、その演奏情報をデコードして音声を出力させる。また、この楽曲出力制御手段４２は、上記スライドショー表示制御手段４０による前記スライドショー表示制御の実行中に、そのスライドショーに対応して前記スライドショーデータベース３０に記憶された所定の楽曲情報を出力する。このスライドショー表示制御に同期しての楽曲情報の出力制御については後述する。
【００３３】
付属情報抽出手段４４は、前記スライドショー表示制御手段４０による前記スライドショー表示制御に係る複数の画像情報それぞれに関して、各画像情報に対応付けられた付属情報を抽出する。すなわち、対象となるスライドショーにおいて切替表示させられる複数の画像に対応する画像情報それぞれに対応して記憶された名詞情報、日付情報、及び場所情報等の付属情報（タグ情報）を前記画像データベース２４を参照して抽出する（画像データベース２４から読み出す）。
【００３４】
第１イベント情報決定手段４６は、上記付属情報抽出手段４４により抽出された付属情報に基づいて、前記複数の画像情報それぞれに対応するイベント情報を決定する。この第１イベント情報決定手段４６は、対象となる画像情報に対応して既に所定のイベント情報が記憶されている場合、そのイベント情報を斯かる画像情報のイベント情報として決定する。一方、付属情報としてイベント情報が設定されていない画像情報に関しては、例えば以下のようにしてその画像情報に対応するイベント情報を決定する。
【００３５】
図８は、上記第１イベント情報決定手段４６による所定のスライドショーに係る複数の画像情報に対応するイベント情報の決定について説明する図である。この図８に示す例では、前記タッチパネルディスプレイ１２（表示装置３２）に画像５４ａ、５４ｂ、５４ｃ、５４ｄ、５４ｅ、５４ｆ（以下、特に区別しない場合には単に画像５４という）が順次断続的に切替表示させられるスライドショーにおいて、それら画像５４それぞれに対応するイベント情報を決定する制御について説明している。上記画像５４ａに対応する画像情報には、その付属情報として名詞情報「家族で海へ」及び日付情報「2007/08/20」が対応付けられており、それらの付属情報が上記付属情報抽出手段４４により抽出されている。ここで、前記イベントデータベース２８には、図５に示すようにキーワード「海」及び日付「７月中旬〜８月３１日」が対応付けられたイベント情報「夏休み」が記憶されており、上記画像５４ａに対応する画像情報の付属情報としての「家族で『海』へ」及び日付情報「2007/08/20」が該当する（一致する）ことから、その画像５４ａに対応する画像情報のイベント情報として「夏休み」が決定される。そのようにして決定されたイベント情報は、各画像情報の付属情報として前記画像データベース２４に記憶される。同様に、図８に示す上記画像５４それぞれに関して、対応する画像情報における付属情報と前記イベントデータベース２８に記憶された各イベント情報（そのイベント情報に対応付けられた関連情報）とが比較されることにより、各画像情報に対応するイベント情報が決定され、その画像情報の付属情報として前記画像データベース２４に記憶される。
【００３６】
ここで、所定の画像情報に関して複数の付属情報が前記付属情報抽出手段４４により抽出された場合において、それら複数の付属情報に関してそれぞれが別のイベント情報に対応するものとして判定される場合が考えられるが、そのような場合には（既に対応付けられている）イベント情報、名詞情報、日付情報、場所情報の順の優先順位で決定が行われる。特に名詞情報は利用者が直接入力する情報であるため写真の情報を反映し易いため、その決定に係る優先順位を最も高くすることが好ましい。また、日付情報は所定の撮像装置により撮影された画像情報には必ず付くものであるため取得し易く、またイベントの日時は決まっているものが多いためイベント情報の決定に反映させ易いことから、その決定に係る優先順位を高くするのが好ましい。
【００３７】
図７に戻って、第２イベント情報決定手段４８は、前記楽曲出力制御手段４２により出力し得る楽曲情報すなわち前記楽曲データベース２６に記憶された各楽曲情報に基づいて、その楽曲情報に対応するイベント情報を決定する。また、斯かる制御を行うために、歌詞情報解析手段５０を含んでいる。この第２イベント情報決定手段４８は、対象となる楽曲情報に対応して所定のイベント情報が記憶されている場合には、そのイベント情報を斯かる楽曲情報のイベント情報として決定する。一方、対応するイベント情報が設定されていない楽曲情報に関しては、例えば以下のようにしてその楽曲情報に対応するイベント情報を決定する。
【００３８】
上記歌詞情報解析手段５０は、上記第２イベント情報決定手段４８によるイベント情報決定の対象となる楽曲情報の歌詞情報を解析し、その歌詞情報に含まれる名詞情報を抽出する。本実施例において、前記ＲＡＭ１８には予め品詞としての多数の名詞（特に一般的に用いられるもの）を記憶するデータベースが設けられており、上記歌詞情報解析手段５０は、そのデータベースに記憶された内容から、前記楽曲情報の歌詞情報に基づいてその歌詞情報に含まれる全ての名詞を抽出する。また、前記楽曲データベース２６に記憶される楽曲情報がテキスト情報としての歌詞情報を含まない場合には、その楽曲情報における演奏情報に対応する音声（楽曲出力制御手段４２により出力される音声）に関して、よく知られた音声認識技術によりその音声に相当する歌詞を認識し、テキスト情報としての歌詞情報を抽出した後に、その歌詞情報に含まれる名詞情報を抽出する。
【００３９】
図９乃至図１２は、前記歌詞情報解析手段５０による名詞情報の抽出乃至前記第２イベント情報決定手段４８によるイベント情報の決定について説明する図である。図９は、クリスマスに関する所定の楽曲における歌詞の一例を示しており、その歌詞の中には複数の名詞情報例えば「ケーキ」、「プレゼント」、「サンタ」、「雪」、「宿題」、・・・等が含まれている。上記歌詞情報解析手段５０は、上述のように予め定められたアルゴリズムに従い対象となる歌詞情報に含まれる名詞情報を抽出する。例えば、図９に示す歌詞からは図１０に示すような複数の名詞情報（キーワード）が抽出される。ここで、前記イベントデータベース２８には、図４に示すようにキーワード「サンタ」、「プレゼント」、「雪」、「ケーキ」が対応付けられたイベント情報「クリスマス」が記憶されており、図９の歌詞に対応して抽出された図１０に示す名詞情報において複数一致するため、その歌詞に対応する楽曲情報のイベント情報として「クリスマス」が決定される。ここで、図９の歌詞に含まれる名詞情報として「宿題」が抽出されており、その「宿題」がキーワードとして対応付けられたイベント情報「夏休み」も存在するが、一致するキーワードが多い「クリスマス」が対象となる楽曲情報に付属するイベント情報として決定される。また、図１１は、夏休みに関する所定の楽曲における歌詞の一例を示しており、その歌詞の中には複数の名詞情報例えば「宿題」、「祭り」、「花火」、「海」、「お弁当」、・・・等が含まれており、それらの名詞情報が図１２に示すように抽出される。ここで、前記イベントデータベース２８には、図５に示すようにキーワード「宿題」、「花火」、「祭り」、「海」が対応付けられたイベント情報「夏休み」が記憶されており、図１１の歌詞に対応して抽出された図１２に示す名詞情報において複数一致するため、その歌詞に対応する楽曲情報のイベント情報として「夏休み」が決定される。そのようにして決定されたイベント情報は、各楽曲情報に対応するイベント情報として前記楽曲データベース２６に記憶される。
【００４０】
図７に戻って、楽曲情報決定手段５２は、前記第１イベント情報決定手段４６により決定された前記画像情報に対応するイベント情報及び前記第２イベント情報決定手段４８により決定された前記楽曲情報に対応するイベント情報に基づいて、前記付属情報抽出手段４４による抽出に係るスライドショー表示制御に対応する所定の楽曲情報を決定する。すなわち、所定のスライドショーにおいて切替表示される複数の画像に対応する画像情報それぞれに対応するイベント情報と、前記楽曲データベース２６に記憶された複数の楽曲情報それぞれに対応して決定される（第２イベント情報決定手段４８により決定された）イベント情報とが比較され、上記複数の画像情報それぞれに対応するイベント情報のうち少なくとも１つと一致するイベント情報に対応する楽曲情報が、上記スライドショーに対応する楽曲情報すなわちそのスライドショー表示制御と同期して出力されるべき楽曲情報として決定される。そのようにして決定された楽曲情報は、対象となるスライドショーの関連情報として前記スライドショーデータベース３０に記憶される。また、その登録に際して、前記楽曲データベース２６に記憶された対象となる楽曲データベースにおける対応付けられているスライドショーの数が更新される。
【００４１】
前記楽曲出力制御手段４２は、前記スライドショー表示制御手段４０による前記スライドショー表示制御の実行中に、そのスライドショー表示制御に対応して前記楽曲情報決定手段５２により決定された楽曲情報を出力させる。換言すれば、前記スライドショー表示制御手段４０により前記スライドショーデータベース３０に登録された所定のスライドショーの表示制御を実行する際に、そのスライドショーに対応して所定の楽曲情報が記憶されている場合には、前記スライドショー表示制御手段４０によるそのスライドショー表示制御の実行と同期してそのスライドショーに対応付けられた楽曲情報を出力（再生）する。また、後述するように所定のスライドショーに対応して複数の楽曲情報が対応付けられている場合や、その楽曲情報の出力タイミングが設定されている場合等においては、対象となるスライドショー表示制御に係る所定のタイミングで各楽曲情報を出力する。
【００４２】
前記楽曲情報決定手段５２は、好適には、前記第１イベント情報決定手段４８により複数種類のイベント情報が決定された場合、すなわち対象となるスライドショーに対応して複数種類のイベント情報が存在する場合、それら複数種類のイベント情報に基づいて前記スライドショーに対応する複数の楽曲情報を決定する。例えば、前述した図８に示す例では、所定のスライドショーにおいて切替表示される画像５４ａ〜５４ｆに対応するイベント情報として２種類のイベント情報「夏休み」及び「クリスマス」が存在する。すなわち、前記画像５４ａ、５４ｅに対応する画像情報の付属情報としてイベント情報「夏休み」が、前記画像５４ｂ、５４ｃ、５４ｄ、５４ｆに対応する画像情報の付属情報としてイベント情報「クリスマス」が前記第１イベント情報決定手段４６により決定されている。この場合において、上記楽曲情報決定手段５２は、図８に示すスライドショーに対応する楽曲情報として、イベント情報「夏休み」に対応する第１の楽曲情報及びイベント情報「クリスマス」に対応する第２の楽曲情報を、そのスライドショーに対応する楽曲情報として決定する。
【００４３】
前記スライドショー表示制御手段４０は、好適には、前記第１イベント情報決定手段４８により複数種類のイベント情報が決定された場合、各イベント情報毎に前記スライドショー表示制御に係る複数の画像情報の表示順を変更する。図１３は、このスライドショー表示制御手段４０による表示順の変更の一例として、図８に示すスライドショーを各画像情報について決定されたイベント情報に基づいて並べ替える例を説明する図である。前述のように、図８に示すスライドショーでは、前記画像５４ａ、５４ｅに対応する画像情報の付属情報としてイベント情報「夏休み」が、前記画像５４ｂ、５４ｃ、５４ｄ、５４ｆに対応する画像情報の付属情報としてイベント情報「クリスマス」が前記第１イベント情報決定手段４６により決定されている。この場合、前記スライドショー表示制御手段４０は、図１３に示すように、イベント情報「クリスマス」に対応する一連の前記画像（画像群）５４ｂ、５４ｃ、５４ｄ、５４ｆを切替表示させた後、イベント情報「夏休み」に対応する一連の前記画像（画像群）５４ａ、５４ｅを切替表示させるようにスライドショーに係る複数の画像情報の表示順を変更する。換言すれば、前記第１イベント情報決定手段４６により決定されたイベント情報が共通する画像群が連続して表示させられるように表示順が変更される。このようにして所定のスライドショー表示制御に係る複数の画像情報の表示順が変更された場合、前記スライドショーデータベースに記憶された対象となるスライドショーの情報（画像表示切替情報）が更新される。
【００４４】
また、前記楽曲情報決定手段５２は、好適には、上述のように前記第１イベント情報決定手段４８により複数種類のイベント情報が決定され、前記スライドショー表示制御手段４０により各イベント情報毎に前記スライドショー表示制御に係る複数の画像情報の表示順が変更された場合、その変更に対応して複数の楽曲情報の出力タイミングを決定する。例えば、図１３に示すようにイベント情報「クリスマス」に対応する一連の前記画像５４ｂ、５４ｃ、５４ｄ、５４ｆを切替表示させた後、イベント情報「夏休み」に対応する一連の前記画像５４ａ、５４ｅを切替表示させるようにスライドショーに係る複数の画像情報の表示順が設定された場合、図１４に示すように、イベント情報「クリスマス」に対応する一連の前記画像５４ｂ、５４ｃ、５４ｄ、５４ｆの表示（切替表示）に同期してそのイベント情報「クリスマス」に対応する第１の楽曲情報を出力（再生）すると共に、イベント情報「夏休み」に対応する一連の前記画像５４ａ、５４ｅの表示（切替表示）に同期してそのイベント情報「夏休み」に対応する第２の楽曲情報を出力（再生）するように、対象となるスライドショーと複数の楽曲情報との対応付けを行う。
【００４５】
換言すれば、前記楽曲出力制御手段５２は、好適には、前記スライドショー表示制御手段４０による前記スライドショー表示制御に係る複数の画像情報にそれぞれ対応付けられた各楽曲情報の決定に係るイベント情報に対応する画像情報の数に応じて、そのスライドショー表示制御に対応して前記楽曲情報決定手段により決定された複数の楽曲情報それぞれの出力を制御する。すなわち、上述した図１３乃至図１４に示す例では、対象となるスライドショーにおける前記画像５４ｂの表示開始と同時に上記第１の楽曲情報の出力が開始され、その画像５４ｂから画像５４ｆまでの切替表示制御に同期してその第１の楽曲情報が継続して出力される。そして、前記画像５４ａの表示開始と同時に上記第２の楽曲情報の出力が開始され、その画像５４ａから画像５４ｅまでの切替表示制御に同期してその第２の楽曲情報が継続して出力されるようにそれら第１の楽曲情報及び第２の楽曲情報の出力タイミングが設定される。更に、前記第１イベント情報決定手段４８により決定された複数のイベント情報それぞれに関して、画像１枚当たりの表示時間及びそのイベント情報に対応する画像の枚数に応じてそのイベント情報に係る楽曲情報の再生時間を決定する、サビの情報が楽曲情報に含まれている場合にはそのサビだけを再生する、楽曲の切替時にはその音声出力をフェイドアウト（漸減）させることで切替をスムーズなものとする等の設定を行うものであってもよい。このような対応付けに係る情報は、前記スライドショーデータベースに記憶された対象となるスライドショーの関連情報として記憶される。
【００４６】
また、前記楽曲情報決定手段５２は、好適には、前記第１イベント情報決定手段４８により複数種類のイベント情報が決定された場合、対象となるスライドショー表示制御に係る複数の画像情報それぞれに対応するイベント情報に基づいて、そのスライドショー表示制御に対応する単数の楽曲情報を決定する。すなわち、対象となるスライドショーに対応して複数種類のイベント情報が存在する場合、それら複数種類のイベント情報のうち何れかのイベント情報に対応する単一の楽曲情報を決定する。好適には、対象となるスライドショーに含まれる画像情報それぞれに対応して決定された複数のイベント情報のうち最も多いイベント情報（対応する画像情報が最多であるもの）に対応する楽曲情報が、前記楽曲データベース２６に記憶された複数の楽曲情報から選択され、対象となるスライドショーに対応する楽曲情報として決定される。また、好適には、対象となるスライドショーを一通り再生するのに要する時間に基づいて、再生時間が可及的に近い楽曲情報をそのスライドショーに対応する楽曲情報として決定する。そのようにして決定された楽曲情報は、対象となるスライドショーの関連情報として前記スライドショーデータベース３０に記憶される。
【００４７】
また、前記楽曲情報決定手段５２は、好適には、前記第１イベント情報決定手段４６により複数種類のイベント情報が決定された場合、対象となるスライドショー表示制御に係る複数の画像情報それぞれの表示履歴（表示回数）を前記表示履歴データベースとしての前記画像データベース２４から読み出し、その表示履歴の数に応じて各画像情報に対応付けられたイベント情報に重み付けをして前記スライドショー表示制御に対応する単数乃至複数の楽曲情報を決定する。例えば、所定のスライドショーに含まれる第１乃至第３の画像に関して、イベント情報「クリスマス」に対応する第１の画像の表示回数が５回、イベント情報「夏休み」に対応する第２の画像の表示回数が２回、イベント情報「運動会」に対応する第３の画像の表示回数が１回であった場合において、そのスライドショーに関して単一の楽曲情報を決定する場合には、表示回数が最も多い上記第１の画像に対応するイベント情報「クリスマス」に対応付けられた楽曲情報をそのスライドショーに対応する楽曲情報として決定する。また、複数の楽曲情報を決定すると共にそれら楽曲情報の再生時間を決定する場合には、表示回数が最も多い上記第１の画像に対応するイベント情報「クリスマス」に対応付けられた楽曲情報の再生時間を比較的長く、表示回数が最も少ない上記第３の画像に対応するイベント情報「運動会」をに対応付けられた楽曲情報の再生時間を比較的短くするというように、各イベント情報に対応する画像情報の表示回数に応じてそれら複数の楽曲情報それぞれの再生時間に傾斜をかける。更に、各イベント情報に複数の画像情報が対応する場合、各イベント情報毎に表示履歴を合計し、その合計に基づいて単数乃至複数の楽曲情報を決定する。例えば表示回数３０回である第１の画像情報及び表示回数３回である第２の画像情報に対応してイベント情報「夏休み」が決定されると共に、表示回数１４回である第３の画像情報、表示回数２回である第４の画像情報、表示回数１回である第５の画像情報、及び表示回数５回である第６の画像情報に対応してイベント情報「クリスマス」が決定された場合には、上記イベント情報「夏休み」に相当する表示履歴は３０＋３＝３３回、イベント情報「クリスマス」に相当する表示履歴は１４＋２＋１＋５＝２２回であるとして、最も表示履歴が多い「夏休み」に対応付けられた楽曲情報を対象となるスライドショーに対応する単一の楽曲情報として決定する。
【００４８】
また、前記楽曲情報決定手段５２は、好適には、前記スライドショー表示制御に対応して複数の楽曲情報が決定された場合、対象となるスライドショー表示制御ではない他のスライドショー表示制御に対応付けられた楽曲情報とは異なる楽曲情報を、その対象となるスライドショー表示制御に対応する楽曲情報として決定する。すなわち、所定のスライドショーに関する前記第１イベント情報決定手段４６により決定された前記画像情報に対応するイベント情報及び前記第２イベント情報決定手段４８により決定された前記楽曲情報に対応するイベント情報の比較の結果として、複数の楽曲情報が候補として挙がる場合には、前述した図３に示すように前記楽曲データベース２６に各楽曲情報に対応して記憶された、その楽曲情報が関連付けられているスライドショーの個数に基づいて、その個数が最も少ない楽曲情報を対象となるスライドショーに対応する楽曲情報として決定する。
【００４９】
図１５は、前記画像表示装置１０の制御部１４により実行されるメイン制御の一例の要部を説明するフローチャートである。
【００５０】
先ず、ステップ（以下、ステップを省略する）Ｓ１において、前記タッチパネルディスプレイ１２（タッチパネル３４）等により所定のスライドショー再生指示操作が行われたか否かが判断される。このＳ１の判断が肯定される場合には、前記第１イベント情報決定手段４６の動作乃至第１イベント情報決定過程に対応する図１６に示すスライドショーに最適な楽曲の特定処理ＳＡ、次いで前記スライドショー表示制御手段４０の動作に対応する図２１に示すスライドショー再生処理ＳＢが実行された後、Ｓ１以下の処理が再び実行されるが、Ｓ１の判断が否定される場合には、Ｓ２において、メモリすなわち前記楽曲データベース２６に新たな楽曲情報が追加（記憶）されたか否かが判断される。このＳ２の判断が肯定される場合には、前記第２イベント情報決定手段４８の動作乃至第２イベント情報決定過程に対応する図２２に示す楽曲のイベント情報取得処理ＳＣが実行された後、Ｓ１以下の処理が再び実行されるが、Ｓ２の判断が否定される場合には、Ｓ３において、新たなイベント情報がダウンロードされる等して前記イベントデータベース２８の内容が更新されたか否かが判断される。このＳ３の判断が肯定される場合には、Ｓ４において、前記イベントデータベース２８に新たなイベント情報を記憶（登録）する更新処理が行われた後、Ｓ１以下の処理が再び実行されるが、Ｓ３の判断が否定される場合には、Ｓ４において、前記タッチパネルディスプレイ１２（表示装置３２）に所定の画像情報が表示されたか否かが判断される。このＳ４の判断が否定される場合には、Ｓ１以下の処理が再び実行されるが、Ｓ４の判断が肯定される場合には、Ｓ６において、前記画像データベース２４における対応する画像情報の表示回数が更新された後、Ｓ１以下の処理が再び実行される。
【００５１】
図１６は、図１５に示す制御におけるスライドショーに最適な楽曲の特定処理の一例の要部を説明するフローチャートである。この制御では、先ず、図１７に示すスライドショーに含まれる画像のイベント情報特定処理ＳＡＡが実行される。次に、図１８乃至図２０の何れかに示す画像のイベント情報に対応する楽曲を楽曲ＤＢから抽出する処理ＳＡＢが実行される。次に、ＳＡ１において、所定（１つ）のイベント情報につき、ＳＡＢにて抽出された楽曲情報が複数存在するか否かが判断される。このＳＡ１の判断が否定される場合には、ＳＡ２において、ＳＡＢ、ＳＡ３、又はＳＡ５にて抽出乃至選択された楽曲情報が対象となるスライドショーに最適な楽曲情報として選択（決定）された後、図１５に示す制御に復帰させられるが、ＳＡ１の判断が肯定される場合には、ＳＡ３において、前記楽曲データベース２６が参照され、関連付けられているスライドショーの数が最も少ない楽曲情報が選択される。次に、ＳＡ４において、ＳＡ３にて選択された楽曲情報が複数存在するか否かが判断される。このＳＡ４の判断が否定される場合には、ＳＡ２以下の処理が実行されるが、ＳＡ４の判断が肯定される場合には、ＳＡ５において、対象となるスライドショーに含まれる画像の枚数から、そのスライドショーの再生に要する時間が算出され、その算出された時間に最も再生時間が近い楽曲情報が選択された後、ＳＡ２以下の処理が実行される。
【００５２】
図１７は、図１６に示す制御におけるスライドショーに含まれる画像のイベント情報特定処理の一例の要部を説明するフローチャートである。この制御では、先ず、ＳＡＡ１において、対象となるスライドショーに含まれる全ての画像情報が参照されたか否かが判断される。このＳＡＡ１の判断が肯定される場合には、それをもって図１６に示す制御に復帰させられるが、ＳＡＡ１の判断が否定される場合には、ＳＡＡ２において、対象となる画像Ｘに関して前記画像データベース２４の記憶内容が参照される。次に、ＳＡＡ３において、対象となる画像Ｘすなわちイベント情報の決定に係る画像情報に付属情報として名詞情報Ｙすなわちその画像Ｘの特徴（内容）を示す単語が付いているか否かが判断される。このＳＡＡ３の判断が否定される場合には、ＳＡＡ６以下の処理が実行されるが、ＳＡＡ３の判断が肯定される場合には、ＳＡＡ４において、前記イベントデータベース２８に、上記名詞情報Ｙをキーワードとするイベント情報が記憶されているか否かが判断される。このＳＡＡ４の判断が肯定される場合には、ＳＡＡ５において、対象となる画像Ｘの付属情報である名詞情報Ｙをキーワードとするイベント情報が、その画像Ｘのイベント情報として特定された後、ＳＡＡ１以下の処理が再び実行されるが、ＳＡＡ４の判断が否定される場合には、ＳＡＡ６において、対象となる画像Ｘの付属情報としての日付情報（撮影日時）Ｔが取得可能であるか否かが判断される。このＳＡＡ６の判断が否定される場合には、ＳＡＡ９以下の処理が実行されるが、ＳＡＡ６の判断が肯定される場合には、ＳＡＡ７において、前記イベントデータベース２８に、上記日付情報Ｔを関連情報とするイベント情報が記憶されているか否かが判断される。このＳＡＡ７の判断が肯定される場合には、ＳＡＡ８において、対象となる画像Ｘの付属情報である日付情報Ｔを関連情報とするイベント情報が、その画像Ｘのイベント情報として特定された後、ＳＡＡ１以下の処理が再び実行されるが、ＳＡＡ７の判断が否定される場合には、ＳＡＡ９において、対象となる画像Ｘの付属情報としての場所情報（撮影場所）Ｐが取得可能であるか否かが判断される。このＳＡＡ９の判断が否定される場合には、ＳＡＡ１以下の処理が再び実行されるが、ＳＡＡ９の判断が肯定される場合には、ＳＡＡ１０において、前記イベントデータベース２８に、上記場所情報Ｐを関連情報とするイベント情報が記憶されているか否かが判断される。このＳＡＡ１０の判断が否定される場合には、ＳＡＡ１以下の処理が再び実行されるが、ＳＡＡ１０の判断が肯定される場合には、ＳＡＡ１１において、対象となる画像Ｘの付属情報である場所情報Ｐを関連情報とするイベント情報が、その画像Ｘのイベント情報として特定された後、ＳＡＡ１以下の処理が再び実行される。以上の制御において、ＳＡＡ３、ＳＡＡ６、及びＳＡＡ９が前記付属情報抽出制御４４の動作乃至付属情報抽出過程に対応する。
【００５３】
図１８乃至２０は、図１６に示す制御における画像のイベント情報に対応する楽曲を楽曲ＤＢから抽出する処理の一例の要部を説明するフローチャートであり、それぞれ請求項２乃至４の説明にあたる処理で、３パターンの異なる制御を例示している。以下、これらの制御について分節する。
【００５４】
図１８は、図１６に示す制御における画像のイベント情報に対応する楽曲を楽曲ＤＢから抽出する処理の一例の要部を説明するフローチャートである。この制御では、先ず、ＳＡＢ１において、対象となるスライドショーに含まれる画像に対応して特定されたイベント情報のうち最も多く特定されたイベント情報Ｅｍａｘが選択される。次に、ＳＡＢ２において、ＳＡＢ１にて選択されたイベント情報Ｅｍａｘに対応付けられた楽曲情報が前記楽曲データベース２６から抽出された後、図１６に示す制御に復帰させられる。
【００５５】
図１９は、図１６に示す制御における画像のイベント情報に対応する楽曲を楽曲ＤＢから抽出する処理の他の一例の要部を説明するフローチャートである。この制御では、先ず、ＳＡＢ３において、対象となるスライドショーに含まれる画像に対応して特定された全てのイベント情報それぞれに対応して、各イベント情報に対応付けられた楽曲情報が１曲ずつ前記楽曲データベース２６から抽出された後、図１６に示す制御に復帰させられる。
【００５６】
図２０は、図１６に示す制御における画像のイベント情報に対応する楽曲を楽曲ＤＢから抽出する処理の更に別の一例の要部を説明するフローチャートである。この制御では、先ず、ＳＡＢ４において、前記画像データベース２４に記憶された、対象となる画像の表示回数が参照される。次に、ＳＡＢ５において、対象となる複数の画像が対応するイベント情報毎に分類され、各イベント情報毎にＳＡＢ４にて参照された画像の表示回数が合計される。次に、ＳＡＢ６において、ＳＡＢ５にて合計された合計値が最も大きいイベント情報が対象となるスライドショーに対応するイベント情報として選択される。次に、ＳＡＢ７において、ＳＡＢ６にて選択されたイベント情報に対応付けられた楽曲情報が前記楽曲データベース２６から抽出された後、図１６に示す制御に復帰させられる。
【００５７】
図２１は、図１５に示す制御におけるスライドショー再生処理の一例の要部を説明するフローチャートである。この制御では、先ず、ＳＢ１において、対象となるスライドショーにおいて切替表示させられるべき複数の画像が、決定されたイベント情報毎に並び替えられ、同じイベント情報に対応する画像群に分類される。次に、前記楽曲出力制御手段４２の動作乃至楽曲出力制御過程に対応するＳＢ２において、ＳＢ１にて分類された各画像群の再生（切替表示）が実行されると共に、その再生時と同期してその画像群のイベント情報に対応する楽曲情報が再生（出力）される。すなわち、前述したスライドショーデータベース３０に記憶（登録）された各スライドショーに係る情報が読み出され、そのスライドショーに対応する画像表示切替情報において定められた複数の画像情報に対応する画像が、定められた表示順に所定の時間間隔で前記タッチパネルディスプレイ１２（表示装置３２）に順次切替表示させられると共に、その再生時と同期してその画像群のイベント情報に対応する楽曲情報が前記楽曲データベース２６から読み出されて前記スピーカ２２等を介して再生（出力）される。斯かる処理が行われた後、図１５に示す制御に復帰させられる。なお、本実施例においては、この図２１に示すスライドショー再生処理におけるスライドショー再生時に、対象となるスライドショーにおいて再生された複数の画像情報それぞれの表示回数が前記画像データベース２４において更新される処理が同時に実行される。なお、この図２１に示す制御は、請求項２に対応するスライドショー再生処理であって、請求項３に対応する制御については特に図示はしないが、画像を再生しながら選択された単数の楽曲を再生する制御を行う。また、請求項３に対応する制御においても画像の再生順をイベント情報で並び変えることも考えられる。更に、請求項４に対応する制御に関しては、単数または複数の楽曲を選択するものであるため、複数の楽曲が選択された場合には上記請求項２に対応する制御と同様の処理を行う。
【００５８】
図２２は、図１５に示す制御における楽曲のイベント情報取得処理の一例の要部を説明するフローチャートである。この制御では、先ず、前記歌詞情報解析手段５０の動作に対応するＳＣ１において、各楽曲情報に歌詞情報が含まれている場合にはその歌詞情報が抽出され、含まれていない場合にはよく知られた音声認識アルゴリズムにより対象となる楽曲情報の演奏情報に対応する音声が解析され、その解析結果としての歌詞情報が抽出される。次に、ＳＣ２において、ＳＣ１にて抽出された歌詞情報から名詞情報が抽出される。すなわち、前記ＲＡＭ１８に設けられた多数の品詞を記憶するデータベースに記憶された内容から、ＳＣ１にて抽出された歌詞情報に基づいてその歌詞情報に含まれる全ての名詞が抽出される。次に、ＳＣ３において、ＳＣ２にて抽出された名詞情報と、前記イベントデータベース２８に記憶された各イベント情報の関連情報としてのキーワードが比較され、ＳＣ２にて抽出された名詞情報から特定のキーワードが抽出される。次に、ＳＣ４において、ＳＣ３の抽出結果としての特定のキーワードが、前記イベントデータベース２８に記憶された各イベント情報の関連情報として記憶されたものであるか否かが判断される。このＳＣ４の判断が否定される場合には、それをもって図１５に示す制御に復帰させられるが、ＳＣ４の判断が肯定される場合には、前記楽曲情報決定手段５２の動作乃至楽曲情報決定過程に対応するＳＣ５において、ＳＣ３にて抽出されたキーワードが含まれるイベント情報が前記イベントデータベース２８から取得され、複数のイベント情報が該当する場合には、一致するキーワードが最も多いイベント情報が対象となる楽曲情報に対応するイベント情報として特定される。次に、ＳＣ６において、ＳＣ５にて決定されたイベント情報が前記楽曲データベース２６に記憶された後、図１５に示す制御に復帰させられる。
【００５９】
このように、本実施例によれば、前記画像情報には、それぞれ少なくとも１種類の付属情報が対応付けられて記憶されるものであり、前記スライドショー表示制御手段４０（ＳＢ）による前記スライドショー表示制御の実行中に所定の楽曲情報を出力する楽曲出力制御手段４２（ＳＢ２）と、前記スライドショー表示制御手段４０による前記スライドショー表示制御に係る複数の画像情報それぞれに対応付けられた付属情報を抽出する付属情報抽出手段４４（ＳＡＡ３、ＳＡＡ６、及びＳＡＡ９）と、その付属情報抽出手段４４により抽出された付属情報に基づいて、前記複数の画像情報それぞれに対応するイベント情報を決定する第１イベント情報決定手段４６（ＳＡ）と、前記楽曲出力制御手段４２により出力し得る楽曲情報に基づいて、その楽曲情報に対応するイベント情報を決定する第２イベント情報決定手段４８（ＳＣ）と、前記第１イベント情報決定手段４６により決定された前記画像情報に対応するイベント情報及び前記第２イベント情報決定手段４８により決定された前記楽曲情報に対応するイベント情報に基づいて選択される所定の楽曲情報を、前記付属情報抽出手段４４による抽出に係るスライドショー表示制御に対応する楽曲情報として決定する楽曲情報決定手段５２（ＳＣ５）とを、含み、前記楽曲出力制御手段４２は、前記スライドショー表示制御手段４０による前記スライドショー表示制御の実行中に、そのスライドショー表示制御に対応して前記楽曲情報決定手段５２により決定された楽曲情報を出力させるものであることから、各スライドショー表示制御に対応してそのスライドショー表示制御に合った楽曲情報を決定し、そのスライドショー表示制御に際して対応する楽曲情報を出力させることができる。すなわち、スライドショー表示制御の実行中において好適な楽曲情報を出力させる制御を実現する画像表示装置１０を提供することができる。
【００６０】
また、前記楽曲情報決定手段５２は、前記第１イベント情報決定手段４６により複数種類のイベント情報が決定された場合、それら複数種類のイベント情報に基づいて前記スライドショー表示制御に対応する複数の楽曲情報を決定するものであり、前記スライドショー表示制御手段４０は、前記第１イベント情報決定手段４６により複数種類のイベント情報が決定された場合、各イベント情報毎に前記スライドショー表示制御に係る複数の画像情報の表示順を変更するものであり、前記楽曲出力制御手段４２は、前記スライドショー表示制御手段４０による前記スライドショー表示制御に係る複数の画像情報にそれぞれ対応付けられた各楽曲情報の決定に係るイベント情報に対応する画像情報の数に応じて、そのスライドショー表示制御に対応して前記楽曲情報決定手段５２により決定された複数の楽曲情報それぞれの出力を制御するものであるため、所定のスライドショー表示制御に対応して決定された複数の楽曲情報に応じてそのスライドショー表示制御に係る複数の画像情報の表示順を好適に並べ替えることができると共に、その表示順に応じて前記複数の楽曲情報それぞれの出力を制御することができる。
【００６１】
また、前記楽曲情報決定手段５２は、前記第１イベント情報決定手段４６により複数種類のイベント情報が決定された場合、対象となるスライドショー表示制御に係る複数の画像情報それぞれに対応するイベント情報に基づいて、そのスライドショー表示制御に対応する単数の楽曲情報を決定するものであるため、所定のスライドショー表示制御に対応する単数の楽曲情報を実用的な態様で決定することができる。
【００６２】
また、前記複数の画像情報それぞれの表示履歴を記憶する表示履歴データベースとしての画像データベース２４を備え、前記楽曲情報決定手段５２は、前記第１イベント情報決定手段４６により複数種類のイベント情報が決定された場合、対象となるスライドショー表示制御に係る複数の画像情報それぞれの表示履歴を前記画像データベース２４から読み出し、その表示履歴の数に応じて各画像情報に対応付けられたイベント情報に重み付けをして前記スライドショー表示制御に対応する単数乃至複数の楽曲情報を決定するものであるため、所定のスライドショー表示制御に対応する単数乃至複数の楽曲情報を実用的な態様で決定することができる。
【００６３】
また、前記楽曲情報決定手段５２は、前記スライドショー表示制御に対応して複数の楽曲情報が決定された場合、対象となるスライドショー表示制御ではない他のスライドショー表示制御に対応付けられた楽曲情報とは異なる楽曲情報を、その対象となるスライドショー表示制御に対応する楽曲情報として決定するものであるため、所定のスライドショー表示制御に対応して、他のスライドショー表示制御とは対応付けられていない新規な楽曲情報を決定することができる。
【００６４】
また、前記画像データベース２４に記憶される付属情報は、対象となる画像情報に関連する単語情報、その画像情報の登録された日付情報、及びその画像情報に関連する場所情報のうち少なくとも１種類を含むものであるため、実用的な付属情報に基づいて前記イベント情報乃至楽曲情報を決定することができる。
【００６５】
また、前記第２イベント情報決定手段４８は、対象となる楽曲情報の歌詞情報を解析し、その歌詞情報に含まれる名詞情報に基づいてその楽曲情報に対応するイベント情報を決定するものであるため、所定の楽曲情報に対応するイベント情報を実用的な態様で決定することができる。
【００６６】
また、前記付属情報とイベント情報とを相互に対応付けて記憶する対応付データベースとしてのイベントデータベース２８を備え、そのイベントデータベース２８の記憶内容が更新可能とされたものであるため、実用的な関係から前記付属情報抽出手段４４により抽出された付属情報に基づいて、その付属情報に対応するイベント情報を決定することができる。
【００６７】
また、本実施例によれば、前記スライドショー表示制御手段４０による前記スライドショー表示制御の実行中に所定の楽曲情報を出力する楽曲出力制御過程（ＳＢ２）と、前記スライドショー表示制御手段４０による前記スライドショー表示制御に係る複数の画像情報それぞれに対応付けられた付属情報を抽出する付属情報抽出過程（ＳＡＡ３、ＳＡＡ６、及びＳＡＡ９）と、その付属情報抽出過程において抽出された付属情報に基づいて、前記複数の画像情報それぞれに対応するイベント情報を決定する第１イベント情報決定過程（ＳＡ）と、前記楽曲出力制御過程において出力し得る楽曲情報に基づいて、その楽曲情報に対応するイベント情報を決定する第２イベント情報決定過程（ＳＣ）と、前記第１イベント情報決定過程において決定された前記画像情報に対応するイベント情報及び前記第２イベント情報決定過程において決定された前記楽曲情報に対応するイベント情報に基づいて選択される所定の楽曲情報を、前記付属情報抽出過程における抽出に係るスライドショー表示制御に対応する楽曲情報として決定する楽曲情報決定過程（ＳＣ５）とを、含み、前記楽曲出力制御過程は、前記スライドショー表示制御手段４０による前記スライドショー表示制御の実行中に、そのスライドショー表示制御に対応して前記楽曲情報決定過程において決定された楽曲情報を出力させるものであることから、各スライドショー表示制御に対応してそのスライドショー表示制御に合った楽曲情報を決定し、そのスライドショー表示制御に際して対応する楽曲情報を出力させることができる。すなわち、スライドショー表示制御の実行中において好適な楽曲情報を出力させる制御を実現する画像表示方法を提供することができる。
【００６８】
また、本実施例によれば、前記画像表示装置１０に備えられた制御部１４を、前記スライドショー表示制御手段４０による前記スライドショー表示制御の実行中に所定の楽曲情報を出力する楽曲出力制御手段４２、前記スライドショー表示制御手段４０による前記スライドショー表示制御に係る複数の画像情報それぞれに対応付けられた付属情報を抽出する付属情報抽出手段４４、その付属情報抽出手段４４により抽出された付属情報に基づいて、前記複数の画像情報それぞれに対応するイベント情報を決定する第１イベント情報決定手段４６、前記楽曲出力制御手段４２により出力し得る楽曲情報に基づいて、その楽曲情報に対応するイベント情報を決定する第２イベント情報決定手段４８、及び、前記第１イベント情報決定手段４６により決定された前記画像情報に対応するイベント情報及び前記第２イベント情報決定手段４８により決定された前記楽曲情報に対応するイベント情報に基づいて選択される所定の楽曲情報を、前記付属情報抽出手段４４による抽出に係るスライドショー表示制御に対応する楽曲情報として決定する楽曲情報決定手段５２として機能させると共に、前記楽曲出力制御手段４２は、前記スライドショー表示制御手段４０による前記スライドショー表示制御の実行中に、そのスライドショー表示制御に対応して前記楽曲情報決定手段２により決定された楽曲情報を出力させるものであることを特徴とする画像表示プログラムであることから、各スライドショー表示制御に対応してそのスライドショー表示制御に合った楽曲情報を決定し、そのスライドショー表示制御に際して対応する楽曲情報を出力させることができる。すなわち、スライドショー表示制御の実行中において好適な楽曲情報を出力させる制御を実現する画像表示プログラムを提供することができる。
【００６９】
以上、本発明の好適な実施例を図面に基づいて詳細に説明したが、本発明はこれに限定されるものではなく、更に別の態様においても実施される。
【００７０】
例えば、前述の実施例において、前記スライドショー表示制御手段４０、楽曲出力制御手段４２、付属情報抽出手段４４、第１イベント情報決定手段４６、第２イベント情報決定手段４８、及び楽曲情報決定手段５２は、何れも前記制御部１４に機能的に備えられたものであったが、その一部乃至全部が同等の機能を奏する個別の制御部として前記制御部１４とは別体に備えられたものであってもよい。また、前記画像表示装置１０においては、前記タッチパネルディスプレイ１２の表示制御乃至入力情報処理を行う表示制御部３６及び入力制御部３８が前記制御部１４とは別体の制御部として備えられたものであったが、これらはその一方乃至両方が前記制御部１４に機能的に備えられたものであってもよい。
【００７１】
また、前述の実施例において、前記楽曲情報決定手段５２は、対象となるスライドショーに係る複数の画像情報それぞれの表示履歴の数等に応じてそのスライドショーに対応する楽曲情報を決定するものであったが、例えば対象となるスライドショーにおいて表示させられる複数の画像情報のうち、所定の画像情報に対応してユニークな付属情報例えば前記画像データベース２４に記憶されている数が希少である付属情報が記憶されている場合には、その付属情報に対応するイベント情報に基づいて楽曲情報を決定する等の制御を行うものであってもよい。
【００７２】
また、前述の実施例では特に言及していないが、前記イベントデータベース２８に各イベント情報の関連情報として記憶された日時情報や場所情報は、前記制御部１４に機能的に備えられた所定のスケジュールソフトと連携して更新されるものであってもよい。例えば、そのスケジュールソフトにおいて、１０月１０日の予定として「運動会」が登録されていた場合には、前記イベントデータベース２８に記憶されたイベント情報「運動会」の関連情報としての日時情報がその１０月１０日に自動的に変更される。その他、斯かるスケジュールソフトにおいて「運動会」の場所情報としての地図等が関連付けられている場合には、その場所情報を上記イベント情報「運動会」の関連情報として更新するといった制御を行うものであってもよい。
【００７３】
その他、一々例示はしないが、本発明はその趣旨を逸脱しない範囲内において種々の変更が加えられて実施されるものである。
【符号の説明】
【００７４】
１０：画像表示装置
２４：画像データベース（表示履歴データベース）
２８：イベントデータベース（対応付データベース）
３２：表示装置（ディスプレイ）
４０：スライドショー表示制御手段
４２：楽曲出力制御手段
４４：付属情報抽出手段
４６：第１イベント情報決定手段
４８：第２イベント情報決定手段
５２：楽曲情報決定手段
５４：画像
【図１】
2011075696.tif 000003
【図２】
2011075696.tif 000004
【図３】
2011075696.tif 000005
【図４】
2011075696.tif 000006
【図５】
2011075696.tif 000007
【図６】
2011075696.tif 000008
【図７】
2011075696.tif 000009
【図８】
2011075696.tif 000010
【図９】
2011075696.tif 000011
【図１０】
2011075696.tif 000012
【図１１】
2011075696.tif 000013
【図１２】
2011075696.tif 000014
【図１３】
2011075696.tif 000015
【図１４】
2011075696.tif 000016
【図１５】
2011075696.tif 000017
【図１６】
2011075696.tif 000018
【図１７】
2011075696.tif 000019
【図１８】
2011075696.tif 000020
【図１９】
2011075696.tif 000021
【図２０】
2011075696.tif 000022
【図２１】
2011075696.tif 000023
【図２２】
2011075696.tif 000024